(57)【要約】【課題】鍵盤楽器の形状に拘らず、梱包された状態の鍵盤楽器の安定性を向上させることにより、揺動による損傷を防止できるとともに、軽量化により、取扱い性を向上させることができ、また、緩衝材の保管スペースを大幅に削減することができる鍵盤楽器の梱包装置および梱包方法を提供するを提供する。【解決手段】鍵盤楽器２を収容するための外箱３と、気体が注入されることにより膨張し、外箱３と、外箱３に収容された鍵盤楽器２との間の空隙Ｖに膨張した状態で配置され、外箱３および鍵盤楽器２の双方を押圧するエアバッグ４と、を備えている。【選択図】  図１
2004331168.tif 000002
【特許請求の範囲】
【請求項１】
鍵盤楽器を収容するための外箱と、
気体が注入されることにより膨張し、前記外箱と、当該外箱に収容された前記鍵盤楽器との間の空隙に膨張した状態で配置され、前記外箱および前記鍵盤楽器の双方を押圧するエアバッグと、
を備えていることを特徴とする鍵盤楽器の梱包装置。
【請求項２】
前記エアバッグは、
柔軟性を有するシートによって構成されたエアバッグ本体と、
当該エアバッグ本体の内部と外部を連通し、気体を注入するための気体注入口と、
当該気体注入口に設けられた開閉自在のバルブと、
を有していることを特徴とする請求項１に記載の鍵盤楽器の梱包装置。
【請求項３】
外箱を準備する外箱準備工程と、
当該外箱内に鍵盤楽器を収容する鍵盤楽器収容工程と、
前記外箱および前記鍵盤楽器の双方を押圧するために、前記外箱と前記鍵盤楽器の間の空隙に、気体を注入することによって膨張した状態のエアバッグを収容するエアバッグ収容工程と、
を備えていることを特徴とする鍵盤楽器の梱包方法。
【請求項４】
前記外箱準備工程において、
組立て式の平面状態の外箱を準備した後に、当該外箱を立体的に組み立て、
前記エアバッグ収容工程において、
前記外箱と前記鍵盤楽器の間の空隙に気体が注入されていない状態のエアバッグを収容した後に、当該エアバッグに気体を注入することによって膨張させることを特徴とする請求項３に記載の鍵盤楽器の梱包方法。
【発明の詳細な説明】
【０００１】
【発明の属する技術分野】
本発明は、ピアノなどの鍵盤楽器を輸送や保管などのために梱包する鍵盤楽器の梱包装置および梱包方法に関する。
【０００２】
【従来の技術】
従来、梱包された鍵盤楽器が、輸送中などにおいて梱包材の内部で揺動するのを防止するために、緩衝材が同梱されることがある。例えば、アップライトピアノ用の緩衝材として、ダンボールによって作製されたものが知られている。このダンボール製の緩衝材は、例えば、アップライトピアノが梱包材に収容された状態で、梱包材の前面および上面と、アップライトピアノの閉じた状態の鍵盤蓋および上前板との間に形成される空隙に配置される。この緩衝材は、ダンボールを箱状に組み立てるとともに、その形状を保持するために、対角線上に互いに交わる２枚の板部材を筋交いとして設けたものである。
【０００３】
また、アップライトピアノの高さや奥行きは、機種によって異なり、それに応じて空隙の大きさも異なる。そのため、緩衝材として、空隙の大きさに合うような多種類のサイズのものが、あらかじめ作製される。このように構成された緩衝材は、アップライトピアノを梱包する際に、前述の空隙に挿入され、アップライトピアノとともに梱包される。それにより、輸送中などにおいて、アップライトピアノの梱包材内での前後方向の揺動が防止され、その結果、アップライトピアノの安定性が向上し、揺動による損傷が防止される。
【０００４】
また、従来の緩衝材として、エアバッグを用いたものが、例えば特許文献１に開示されている。この緩衝材は、梱包材としてダンボールや厚紙などで形成された梱包容器の側面や底面などの内面に一様に接着されており、袋状で、その内部にエアを供給するためのエア供給口、およびこれを開閉するバルブを有している。この緩衝材を用いた梱包容器によれば、その内部に商品などを収納した後、エア供給口を介してエアバッグ内にエアが供給される。それにより、エアバッグは徐々に膨張し、エアバッグが商品などに接触したときにバルブが閉じられる。そして、梱包容器のふたを閉じ、商品などの梱包を完了する。このように梱包された商品などは、複数のエアバッグに保持された状態になり、外部からの衝撃がエアバッグによって緩衝されるので、輸送中における商品などの損傷が防止される。
【特許文献１】
特開平１０−１２９７３１号公報  （第２頁、第３図）
【０００５】
【発明が解決しようとする課題】
しかし、上述した従来の緩衝材には、以下のような問題がある。ダンボール製の緩衝材を用いた場合には、アップライトピアノの機種に応じて多種類のサイズの緩衝材を用意しなければならない。また、緩衝材は、前述した箱状の状態で準備されるため、ある程度の大きさを有している。そのため、梱包前においては、保管のためだけに多くのスペースが必要になってしまう。また、アップライトピアノは大きな重量を有しているので、その揺動を防止するための緩衝材にある程度の強度が要求されるため、ダンボールの厚さをある程度、大きくする必要がある。このため、緩衝材の重量が大きくなり、その分、梱包されたアップライトピアノの輸送時などの取扱いがさらに困難になってしまう。
【０００６】
一方、緩衝材としてダンボールなどの側面や底面などの内面に貼り付けられたエアバッグを用いて鍵盤楽器を梱包した場合、鍵盤楽器は、通常、複雑な形状を有しているのに対し、上記のエアバッグは、ダンボールなどの内面に一様に張り付けられているにすぎないため、梱包材との間の空隙を適切に埋めることができない。このような場合、輸送中における鍵盤楽器の揺動を防止できないおそれがあり、それにより、鍵盤楽器の安定性が損なわれ、揺動により損傷するおそれがある。
【０００７】
本発明は、このような課題を解決するためになされたものであり、鍵盤楽器の形状に拘らず、梱包された状態の鍵盤楽器の安定性を向上させることにより、揺動による損傷を防止できるとともに、軽量化により、取扱い性を向上させることができ、また、緩衝材の保管スペースを大幅に削減することができる鍵盤楽器の梱包装置および梱包方法を提供することを目的としている。
【０００８】
【課題を解決するための手段】
この目的を達成するために、本発明の請求項１に係る発明は、鍵盤楽器を収容するための外箱と、気体が注入されることにより膨張し、外箱と、外箱に収容された鍵盤楽器との間の空隙に膨張した状態で配置され、外箱および鍵盤楽器の双方を押圧するエアバッグと、を備えていることを特徴とする。
【０００９】
この鍵盤楽器の梱包装置によれば、気体が注入され膨張した状態のエアバッグが、鍵盤楽器を収容した外箱および鍵盤楽器の間の空隙に配置されていることにより、エアバッグは外箱および鍵盤楽器の双方を押圧するので、鍵盤楽器は、外箱に対して固定された状態に保持される。それにより、鍵盤楽器の輸送中に、例えば外力や振動が加えられたとしても、鍵盤楽器が外箱内で揺動することはない。したがって、梱包された状態での鍵盤楽器の安定性が確保され、その結果、鍵盤楽器の揺動による損傷を確実に防止できる。
【００１０】
また、エアバッグの膨張の度合を、注入する気体の量によって調整でき、したがって、外箱と鍵盤楽器の間の様々な大きさや形状の空隙に、少ない種類のエアバッグで対応することができる。例えば、気体を最大限、注入したときのエアバッグの大きさを、予想される最大の空隙の大きさに合うように設定すれば、１種類のエアバッグを用意するだけでよい。その結果、従来と異なり、鍵盤楽器の機種ごとの専用の緩衝材が不要になるため、コストを削減することができる。
【００１１】
また、エアバッグは、気体を注入していない空の状態では、非常にコンパクトになる。したがって、コンパクトな状態でエアバッグを保管することができ、それにより、鍵盤楽器の梱包に使用する前に必要な保管スペースを大幅に削減することができる。また、気体が注入されたエアバッグは、それと同じ容積の従来のダンボール製の緩衝材と比較して軽量であるので、梱包後の鍵盤楽器などの取扱い性を向上させることができる。
【００１２】
請求項２に係る発明は、請求項１に記載の鍵盤楽器の梱包装置において、エアバッグは、柔軟性を有するシートによって構成されたエアバッグ本体と、エアバッグ本体の内部と外部を連通し、気体を注入するための気体注入口と、気体注入口に設けられた開閉自在のバルブと、を有していることを特徴とする。
【００１３】
この鍵盤楽器の梱包装置によれば、エアバッグは、気体注入口を介してエアバッグ本体に気体が注入されることにより膨張し、バルブを閉じることによって気体の排出が防止され、膨張した状態が維持される。このように、エアバッグを膨張させるとともにバルブを閉じるだけで膨張した状態を維持できるので、緩衝材として使い勝手よく用いることができる。
【００１４】
また、前記目的を達成するため、本発明の請求項３に係る発明は、外箱を準備する外箱準備工程と、外箱内に鍵盤楽器を収容する鍵盤楽器収容工程と、外箱および鍵盤楽器の双方を押圧するために、外箱と鍵盤楽器の間の空隙に、気体を注入することによって膨張した状態のエアバッグを収容するエアバッグ収容工程と、を備えていることを特徴とする。
【００１５】
この梱包方法によれば、請求項１の鍵盤楽器の梱包装置による前述した作用を得ることができる。なお、この場合、エアバッグを、気体を全く注入しない状態で空隙に配置した後に気体を注入してもよく、空隙の大きさに応じた量の気体をあらかじめ注入した後に、空隙に膨張させた状態で挿入してもよく、あるいは、ある程度、膨張した状態で空隙に配置した後に、押圧の度合を確認しながら気体の注入量を微調整してもよい。
【００１６】
さらに、本発明の請求項４に係る発明は、請求項３に記載の鍵盤楽器の梱包方法において、外箱準備工程において、組立て式の平面状態の外箱を準備した後に、外箱を立体的に組み立て、エアバッグ収容工程において、外箱と鍵盤楽器の間の空隙に気体が注入されていない状態のエアバッグを収容した後に、エアバッグに気体を注入することによって膨張させることを特徴とする。
【００１７】
この梱包方法によれば、鍵盤楽器の梱包に使用する前において、外箱は、組立て前の平面的な状態になっており、また、エアバッグも気体が注入されていないコンパクトな状態になっているので、これらの保管スペースを大幅に削減することができる。
【００１８】
【発明の実施形態】
以下、図面を参照しながら、本発明の実施形態を詳細に説明する。図１は、本発明を適用した鍵盤楽器の梱包装置（以下、単に「梱包装置」という）１、およびこれによって梱包されたアコースティックなアップライトピアノ２（鍵盤楽器）を示している。この梱包装置１は、アップライトピアノ２を収容した外箱３と、外箱３とアップライトピアノ２の間の空隙Ｖに、緩衝材として配置された、例えば３つのエアバッグ４（１つのみ図示）とを備えている。
【００１９】
外箱３は、アップライトピアノ２が載置されたスキット５と、スキット５に被せられた箱材６によって構成されている。スキット５は、荷物積載運搬用の単面形パレットで、例えば複数の木材によって構成されている。また、箱材６は、前板部６ａ、背板部６ｂ、左右の側板部６ｃ、６ｃ（１つのみ図示）、および天板部６ｄなどによって一体に構成されている。この箱材６は、例えば、所定の厚さを有するダンボールによって構成されており、平面的に展開された状態で製造されるとともに、使用時に立体的に組み立てられるものである。箱材６の前板部６ａ、背板部６ｂおよび両側板部６ｃ、６ｃは、スキット５上の所定の位置に載置され、これらの各下端部が、スキット５の外縁部に固定されている。そして、外箱３の内部空間の高さ、幅および奥行きは、いずれもアップライトピアノ２よりもわずかに大きくなっている。
【００２０】
３つのエアバッグ４は、箱材６とアップライトピアノ２の間の空隙Ｖに配置されている。この空隙Ｖは、箱材６の前板部６ａ、両側板部６ｃ、６ｃおよび天板部６ｄと、アップライトピアノ２の鍵盤蓋２ａおよび上前板２ｂとによって囲まれ、左右方向（図１の奥行き方向）に延びている。３つのエアバッグ４は、この空隙Ｖに左右方向に並んで配置されている。
【００２１】
図２に示すように、各エアバッグ４は、気体、例えば空気が注入されることによって膨張するエアバッグ本体７と、このエアバッグ本体７の内部と外部を連通する空気注入口８（気体注入口）と、この空気注入口８に設けられた開閉自在のバルブ９を有している。エアバッグ本体７は、柔軟性を有する材料、例えばポリエチレンによって構成されており、シート状のものを袋状に形成したものである。このシートは、強度や耐久性を向上させるために、例えば３枚のシートを張り合わせることにより１枚のシートとして構成されている。空気注入口８は、エアバッグ本体７の一方の側部７ａに設けられており、側部７ａの長さ方向の中央で、上端部付近に配置されている。この空気注入口８に、空気注入口８を開閉するための前記バルブ９が設けられている。このバルブ９は、空気注入口８にノズル（図示せず）を差し込んだときに開放されるとともに、ノズルを取り外したときに閉鎖され、エアバッグ本体７を密封するタイプのものである。
【００２２】
このようなエアバッグ４は、図２（ａ）に示すように、空気が注入されていない状態では、シート状のコンパクトな状態になっており、また、同図（ｂ）に示すように、空気が注入されると、その両側部７ａ、７ａが離れ合うようにして膨張する。このように膨張した状態のエアバッグ４が、アップライトピアノ２を外箱３に梱包する際に、前述した空隙Ｖに配置され、この状態において、外箱３とアップライトピアノ２の間に狭持され、両者３、２を押圧している。すなわち、膨張したエアバッグ４の前側の側部７ａが前板部６ａを、後側の側部７ａが上前板２ｂをそれぞれ押圧しており、それにより、外箱３とアップライトピアノ２は、互いに前後方向に固定された状態に維持される。また、この状態では、エアバッグ４の上端部および下端部は、天板部６ｄおよび鍵盤蓋２ａにそれぞれ当接し、両者６ｄ、２ａを小さな力で押圧している。
【００２３】
次いで、上述した梱包装置１を用いたアップライトピアノ２の梱包方法について説明する。まず、外箱３のスキット５を準備するとともに、箱材６を組立て前の平面的な状態で、エアバッグ４を空気が注入されていないコンパクトな状態で、それぞれ準備する。次に、図３（ａ）に示すように、スキット５上の所定の位置にアップライトピアノ２を載置する。次に、同図（ｂ）に示すように、箱材６を、天板部６ｄのみを固定しない状態で、立体的に組み立てた後、アップライトピアノ２に上方から被せるとともに、スキット５上の所定の位置に載置する。そして、外箱６の下端部をスキット５の外縁部に固定し、これにより、アップライトピアノ２が外箱３内に収容される。
【００２４】
次に、箱材６の天板部６ｄを開いた状態で、空気が注入されていない状態の３つのエアバッグ４を空隙Ｖに、左右方向に並ぶように上方から挿入する。次に、同図（ｃ）に示すように、各エアバッグ４に空気注入口８を介して所定量の空気を注入することにより、各エアバッグ４を膨張させる。それにより、エアバッグ４は、前側の側部７ａが前板部６ａを、後側の側部７ａが上前板６ｂを、下端部が鍵盤蓋２ａを、それぞれ押圧した状態で、空隙Ｖにセットされる。なお、アップライトピアノ２の高さや奥行きは、その機種ごとに異なるため、上述した空隙Ｖの大きさも、アップライトピアノ２の機種ごとに異なる。したがって、エアバッグ４に注入される所定の空気量もまた、アップライトピアノ２の機種に応じて設定される。
【００２５】
そして、同図（ｄ）に示すように、天板部６ｄを閉じた後、固定し、アップライトピアノ２の梱包を完了する。それにより、天板部６ｄは、エアバッグ４により上方に押圧された状態になる。
【００２６】
以上のように、本実施形態の梱包装置１によれば、これに梱包されたアップライトピアノ２は、外箱３との間に挿入されたエアバッグ４による押圧によって、外箱３に対して固定された状態に保持されるため、その輸送中に、例えば外力や振動が加えられたとしても、外箱３内で揺動することはない。それにより、梱包された状態でのアップライトピアノ２の安定性が確保され、その結果、アップライトピアノ２の揺動による損傷を確実に防止できる。
【００２７】
また、エアバッグ４の膨張の度合を、注入する空気の量によって調整でき、したがって、アップライトピアノ２の機種ごとに大きさの異なる空隙Ｖに、少ない種類のエアバッグ４で対応することができる。また、例えば、空気を最大限、注入したときのエアバッグ４の大きさを、最も大きな空隙Ｖが形成される機種に合うように設定すれば、１種類のエアバッグ４を用意するだけでよい。その結果、従来と異なり、アップライトピアノ２の機種ごとに専用の緩衝材が不要になるため、コストを削減することができる。
【００２８】
また、エアバッグ４は、空気を注入していない空の状態では、非常にコンパクトになるので、例えば積み重ねられた状態でエアバッグ４を保管することができ、それにより、アップライトピアノ２の梱包に使用する前に必要な保管スペースを大幅に削減することができる。また、空気が注入され、膨張したエアバッグ４は、それと同じ容積の従来のダンボール製の緩衝材と比較して軽量であるので、梱包後のアップライトピアノ２の取扱い性を向上させることができる。
【００２９】
また、エアバッグ４は、ノズルを差し込むだけでバルブ９が開放され、空気の注入が可能になり、ノズルが取り外されることによりエアバッグ本体７が密封され、膨張した状態が維持されるように構成されている。このように単純な操作で、エアバッグ４を膨張させるともにその状態を維持できるので、緩衝材として使い勝手よく用いることができる。
【００３０】
また、アップライトピアノ２の梱包に使用する前において、箱材６は、展開され平面的に積み重ねた状態で保管できるので、箱材６の保管スペースもまた、削減することができる。さらに、エアバッグ４は安価なポリエチレンによって構成されているので、従来のダンボール製の緩衝材と比較して、コストを削減することができる。
【００３１】
なお、本発明は、上述した実施形態に限定されることなく、種々の態様で実施することができる。例えば、実施形態では、前述した空隙Ｖにのみエアバッグ４を配置することにより、アップライトピアノ２の揺動を防止しているが、他の空隙、例えば棚板２ｃの下側の空隙Ｖ１にも配置することができる。この場合、配置する空隙の形状やサイズに応じて、エアバッグ４に注入する空気量を調整し、その膨張の度合を調整することにより、形状やサイズの異なる空隙に容易に対応することができる。
【００３２】
また、機種ごとに異なる空隙Ｖの大きさに応じて、エアバッグ４に空気をあらかじめ注入して膨張させた後に、膨張した状態のエアバッグ４を空隙Ｖに挿入してもよい。また、その後に、さらに空気を注入、または排出し、前板部６ａや上前板２ｂなどに対する押圧力を微調整してもよい。
【００３３】
さらに、エアバッグ４の形状、大きさおよび材質もまた、実施形態に限定されることなく、配置される空隙の大きさや形状に応じて自由に設定することができる。また、実施形態では、梱包装置１を、アコースティックなアップライトピアノ２の梱包装置として説明したが、これに限定されることなく、グランドピアノや電子ピアノなど他の鍵盤楽器の梱包装置として用いてもよい。その他、細部の構成を、本発明の趣旨の範囲内で適宜、変更することが可能である。
【００３４】
【発明の効果】
以上のように、本発明の鍵盤楽器の梱包装置および梱包方法は、鍵盤楽器の形状に拘らず、梱包された状態の鍵盤楽器の安定性を向上させることにより、揺動による損傷を防止できるとともに、軽量化により、取扱い性を向上させることができ、また、緩衝材の保管スペースを大幅に削減することができるなどの効果を有する。
【図面の簡単な説明】
【図１】鍵盤楽器の梱包装置およびこれによって梱包されたアップライトピアノを示す側面図である。
【図２】（ａ）気体が注入されていない状態のエアバッグを示す斜視図、および（ｂ）気体が注入され、膨張した状態のエアバッグを示す斜視図である。
【図３】アップライトピアノの梱包手順を示す図であり、（ａ）スキット上にアップライトピアノが配置された状態、（ｂ）外箱が組み立てられ、アップライトピアノが収容された状態、（ｃ）膨張したエアバッグが空隙に配置された状態、および（ｄ）アップライトピアノの梱包が完了した状態をそれぞれ示す。
【符号の説明】
１    梱包装置
２    アップライトピアノ（鍵盤楽器）
３    外箱
４    エアバッグ
７    エアバッグ本体
８    空気注入口（気体注入口）
９    バルブ
Ｖ    空隙
【図１】
2004331168.tif 000003
【図２】
2004331168.tif 000004
【図３】
2004331168.tif 000005